(57)【要約】【課題】  部材断面を大きくすることなく低コストで強度的に優れ、建物と外観的にも一体感のある塀が設けられたユニット建物及びユニット建物の施工方法を提供すること。【解決手段】  複数の建物ユニット２を水平方向及び上下方向に組み合わせてなるユニット建物１において、ユニット建物１の本体壁面に直角になるように塀３となる袖壁３２が立設され、その本体壁面の正面に正面壁３１がこの袖壁３２に、正面壁３１と袖壁３２とを略直角にした状態にして、連結されている。【選択図】図１
2005201011.tif 000002
【特許請求の範囲】
【請求項１】
複数の建物ユニットを水平方向及び上下方向に組み合わせてなるユニット建物において、ユニット建物の本体壁面に直角になるように塀となる袖壁が立設され、その本体壁面の正面に正面壁がこの袖壁に、正面壁と袖壁とを略直角にした状態にして、連結されていることを特徴とするユニット建物。
【請求項２】
前記ユニット建物又は袖壁には予め立設するための取付金具が設けられていることを特徴とする請求項１に記載のユニット建物。
【請求項３】
前記袖壁は２階分の高さであり、また袖壁の上部に屋根又はバルコニーの床を設けることが可能となされていることを特徴とする請求項１又は２に記載のユニット建物。
【請求項４】
前記ユニット建物の基礎と前記袖壁の基礎とは一体になされていることを特徴とする請求項１〜３のいずれかに記載のユニット建物。
【請求項５】
請求項１〜４のいずれかに記載のユニット建物において、前記ユニット建物を形成する建物ユニットと前記袖壁とが現場にて組み合わされることを特徴とするユニット建物の施工方法。
【請求項６】
請求項１〜４のいずれかに記載のユニット建物において、前記ユニット建物を形成する建物ユニットと前記袖壁とが予め工場にて組み合わされていることを特徴とするユニット建物の施工方法。
【発明の詳細な説明】
【技術分野】
【０００１】
この発明は、建物と一体的に連結された塀を有するユニット建物及びユニット建物の施工方法に関する。
【背景技術】
【０００２】
従来の塀は、建物本体から離れた位置に独立して設けられているため、単独で強度を負担する必要があり、風等の横方向の外力に弱く、そのため塀の高さを高くすることが困難であるので、高さを略２ｍ以下にした塀が多かった。
【０００３】
この風等の横方向の外力に弱いという問題を解決する手段としては、塀を構成する部材断面を大きくするか（例えば、特許文献１参照）、あるいは、塀の一部を建物本体に連結して、塀が受ける風等の横方向の外力を建物本体に負担させる塀が知られている。（例えば、特許文献２や特許文献３参照）。
【０００４】
一方、建物の機能や美観の向上を図る方法として、一対の袖壁体と屋根体を逆Ｕ字状に組み立てたもので、袖壁体が建物本体の側壁延長部を構成し、屋根体が建物本体の屋根延長部を構成する付属建物本体であり、この付属建物本体を用いてバルコニー、サンルーム及び階段等を形成でき、建物の機能が向上すると共に美観にも優れるようにしたものである。（例えば、特許文献４参照）。
【特許文献１】特開平６−１０８７０５号公報
【特許文献２】新実用案登録第３００９５９９号公報
【特許文献３】特開平９−４２４０号公報
【特許文献４】特開昭５６−１２２４４０号公報
【発明の開示】
【発明が解決しようとする課題】
【０００５】
しかしながら、特許文献１に記載されている風等の横方向の外力に弱いという問題を解決する手段として塀を構成する部材断面を大きくすると、コストアップになる。また、上記特許文献２や特許文献３に記載されている塀は、塀が建物本体に支持されて、塀が受ける風等の力に耐えることができ、２階までの高さの塀を設けることができるが、風等の力に耐えさせるために建物本体を補強する必要があり、建物本体が高価になるし、建物本体から離れた位置に塀を設けることができない。
【０００６】
また、建物本体の１階と２階の意匠が異なる場合に、この建物本体の外側に２階までの高さの塀を設け、この塀を建物本体の外観と略同じにして全体の外観を良くしようとすると、塀の壁面を途中で異なった意匠にする必要があり、塀の製作が極めて困難である。
【０００７】
特許文献４に記載の付属建物本体は、バルコニーやサンルーム及び階段等を形成して、建物の機能の向上や美観に優れているが塀を形成する目的で利用するものではない。又、塀と一体ではないので２段階の施工が必要であり、外観的な意匠性を統一することは困難である。
【０００８】
そこで、本発明の目的は、部材断面を大きくすることなく低コストで強度的に優れ、建物と外観的にも一体感のある塀が設けられたユニット建物及びユニット建物の施工方法を提供することである。
【課題を解決するための手段】
【０００９】
上記課題を解決するために、請求項１に記載の発明は、複数の建物ユニットを水平方向及び上下方向に組み合わせてなるユニット建物において、ユニット建物の本体壁面に直角になるように塀となる袖壁が立設され、その本体壁面の正面に正面壁がこの袖壁に、正面壁と袖壁とを略直角にした状態にして、連結されていることを特徴とするユニット建物である。
【００１０】
この請求項１記載の発明では、塀を構成する正面壁が袖壁に連結されているが、この袖壁の連結場所はユニットの主要構造材のある場所であり、例えば、正面壁の柱のある略中央でもよいし、柱のある端部であっても、正面壁に交差する耐力壁の接続されている部分でもよい。更に、正面壁の端を他の物で延長して延長部分を設け、この延長部分に袖壁を連結してもよい。そして、袖壁を正面壁の端部に連結すると、正面壁の受ける風等の力で端部が破壊され難くなるので好ましい。
【００１１】
このように正面壁の端部に袖壁を連結する場合には、この袖壁を正面壁の一方の端部に連結してもよいし、両側の端部に連結されていてもよい。又、その他の部分、例えば、中央部分にも袖壁を設けて、この端部と中央部分の袖壁で正面壁を支持するようにしてもよい。
【００１２】
また、正面壁は袖壁に連結されているが、この正面壁は、袖壁と同様に、地上に据え付けられていてもよいし、正面壁の一部は据え付けることなく中空状にして袖壁に差し渡されて連結されていてもよい。
【００１３】
請求項２記載の発明は、前記ユニット建物又は袖壁には予め立設するための取付金具が設けられていることを特徴とするものである。
【００１４】
請求項３記載の発明は、請求項１又は２に記載のユニット建物において、前記袖壁は２階分の高さであり、また袖壁の上部に屋根又はバルコニーの床を設けることが可能となされていることを特徴とするものである。
【００１５】
この請求項３記載の発明においては、塀の上部に屋根を設けた場合に、採光を望むときには、この上面にガラスやアクリル板のような透明な板材を取り付けてもよい。
【００１６】
請求項４記載の発明は、請求項１〜３のいずれかに記載のユニット建物において、前記ユニット建物の基礎と前記袖壁の基礎とは一体になされていることを特徴とするものである。
【００１７】
請求項５記載の発明は、請求項１〜４のいずれかに記載のユニット建物において、前記ユニット建物を形成する建物ユニットと前記袖壁とが現場にて組み合わされることを特徴とするユニット建物の施工方法である。
【００１８】
請求項６記載の発明は、請求項１〜４のいずれかに記載のユニット建物において、前記ユニット建物を形成する建物ユニットと前記袖壁とが予め工場にて組み合わされていることを特徴とするユニット建物の施工方法である。
【００１９】
この請求項５及び６記載の発明における正面壁では両側の柱と、この柱の前面に取り付けられた塀面材とからなるが、その他の補強材、例えば、桟材や間柱が設けられてもよいし、塀面材の上下に梁材が設けられていてもよい。
また、この請求項５及び６記載の発明では、塀面材の前面には、建物本体の外壁に合う化粧が施されているが、この外壁に合う化粧とは、建物本体の外壁と塀面材の化粧とが意匠的に統一されていることをいう。特に、建物本体の外壁と略同じ化粧を施すと極めて美麗になるので好ましい。
【発明の効果】
【００２０】
請求項１記載の発明では、複数の建物ユニットを水平方向及び上下方向に組み合わせてなるユニット建物において、ユニット建物の本体壁面に直角になるように塀となる袖壁が立設され、その本体壁面の正面に正面壁がこの袖壁に、正面壁と袖壁とを略直角にした状態にして、連結されているユニット建物であるので、建物ユニットの主な柱や耐力壁に袖壁を一体的に構成させることにより、袖壁を構成する部材を大きい部材断面とする必要がない。即ち、塀に受ける風等の横方向の外力を一体的に接続された建物ユニットと分担して負担し、袖壁を構成する部材の断面積を小さくすることができ、低コストで強度的に優れた塀を設けることができる。
【００２１】
しかも、この正面壁が受ける風等の外力に対しては、正面壁に略直角に連結されている袖壁が受けるので、正面壁を２階の高さに取り付けても、風等の外力に対する十分な抵抗力を持たせることができる。
【００２２】
請求項２記載の発明では、前記ユニット建物及び塀に予め立設するための取付金具が設けられているので、正面壁と袖壁を工場等の製造し易い場所で製造し、この正面壁と袖壁を施工現場に運搬し、施工現場で、袖壁をユニット建物側の取付け金具に嵌合するだけでよく、あるいは工場で予め建物ユニットに袖壁を取付け金具に嵌合し組立ておいてもよく、この袖壁に正面壁を連結するだけで請求項２記載のユニット建物とすることができ、現場施工工数が少なくなり極めて施工し易い。
【００２３】
請求項３記載の発明では、前記塀は２階建ても可能となされ、また塀の上部に屋根、バルコニーの床を設けることが可能となされているので、建物の機能が向上すると共に美観にも優れる。又、塀の上部に屋根を設けた場合に、この上面にガラスやアクリル板のような透明な板材を取り付けて採光を取ることもでき、居住性も向上する。
【００２４】
請求項４記載の発明では、前記ユニット建物の基礎と前記塀の基礎とは一体になされているので、塀に受ける風等の横方向の外力に対して強度が向上すると共に、コストを抑えることができる。又、建物と塀が一体化されているので外観的に統一感のあるデザインとする事ができる。
【００２５】
請求項５記載の発明では、請求項１〜４のいずれかに記載のユニット建物において、前記ユニット建物を形成する建物ユニットと前記塀とは現場にて組み立てられているので、工場等の製造し易い場所で、この塀ユニットを製造し、この塀ユニットを施工現場に建物ユニットと共に据え付けるだけで、塀付のユニット建物が完成し、現場施工工数が少なくなり極めて施工し易い。
【００２６】
請求項６記載の発明では、請求項１〜４のいずれかに記載のユニット建物において、前記ユニット建物を形成する建物ユニットと前記塀とは予め工場にて組み立てられているので、施工現場においては基礎に据付けるだけでユニット建物が完成し、現場施工工数が少なくなり極めて施工し易い。又、塀は建物ユニットと予め工場で一体化され、建物本体の外壁に合う化粧が施されて、建物全体が美麗である。
【発明を実施するための最良の形態】
【００２７】
以下、本発明の実施の形態を実施例で説明する。
【実施例１】
【００２８】
図１は本発明の一実施例を示すもので、図１（ａ）は、一体的に設けられた塀を有するユニット建物の斜視図、（ｂ）は（ａ）の平面を示す模式図である。
【００２９】
図１において、１は一体的に設けられた塀を有するユニット建物であり、この一体的に設けられた塀を有するユニット建物１は、図１に示すように、ユニット建物１を構成する建物ユニット２と塀３と、基礎４とからなる。
一体的に設けられた塀を有するユニット建物本体１は２階建ての住宅である。
塀３は、正面壁３１と袖壁３２，３２で構成されている。袖壁３２は建物ユニット２の壁面２１に直角に立設され、その正面に正面壁３１が袖壁３２の面と正面壁３１の面を略直角にした状態で連結されている。基礎４は建物ユニット２及び塀３の部分と一体的に設けられている。
【００３０】
このように、ユニット建物１と塀３は一体的に設けられており、例えば、ユニット建物１が軸組みの場合、建物ユニット２の端の柱と塀３は一体的に設けられる。ユニット建物１が壁式の場合、正面壁３１を桁壁としたとき、桁壁に交差する妻壁とこの桁壁の接合している建物ユニット２の端で、袖壁３２がこれらの主要構造材に連結されて一体的に設けられている。上記のように、ユニット建物１と塀３が軸組みの場合であれ、壁式の場合であれ、一体的に設けられるのは他の実施例においても同様である。このように、正面壁３１（塀）が袖壁３２（塀）と略直角に連結されて、ユニット建物１本体に一体的に支持され、袖壁３２を構成する部材を大きい部材断面とする必要がない。即ち、塀３に受ける風等の横方向の外力を一体的に接続された建物ユニット２の主要構造材が分担して負担し、袖壁３２を構成する部材の断面積を小さくすることができ、低コストで強度的に優れた塀を設けることができる。この点についても他の実施例においても同様である。
また、ユニット建物１と塀３の基礎４が一体であり更に強度が増すと共に、ユニット建物１と塀３が外観的にも一体感が得られ美麗である。
【実施例２】
【００３１】
図２は本発明の別の実施例を示すもので、図２（ａ）は２階部分まで袖壁（塀）を有するユニット建物の斜視図、（ｂ）は２階部分まで袖壁の上部に屋根（庇）を有するユニット建物の斜視図、（ｃ）は２階部分まで袖壁を有し、２階の床レベルにバルコニー床を有するユニット建物の斜視図、（ｄ）２階部分まで袖壁を有し、その正面に正面壁（塀）を有するユニット建物の斜視図である。
【００３２】
図２（ａ）において、ユニット建物１は建物ユニット２を上下左右に組み合わされた２階建てのユニット建物１である。袖壁３２ａは２階まで届く高い塀であり、ユニット建物１の長辺（桁）側に沿って両端と真ん中の３箇所に設けられている。この一体的に設けられた塀を有するユニット建物１はこのままでもよく、たとえばアパートのような場合には隣人との間のプライバシー保護になる。あるいは、図２（ｂ）以下のように屋根、あるいはバルコニー床を設けても良い。
【００３３】
図２（ｂ）において、図２（ａ）と同様に、ユニット建物１は建物ユニット２を上下左右に組み合わされた２階建てのユニット建物１である。袖壁３２ａは２階まで届く高い塀であり、ユニット建物１の長辺（桁）側に沿って両端と真ん中の３箇所に設けられている。袖壁３２ａ間の上部には屋根３３が設けられている。
屋根３３にはガラスやアクリル板のような透明な板材を取付けて採光をとるようにしても良い。
【００３４】
又、図２（ｃ）において、図２（ａ）と同様に、ユニット建物１は建物ユニット２を上下左右に組み合わされた２階建てのユニット建物１である。袖壁３２ａは２階まで届く高い塀であり、ユニット建物１の長辺（桁）側に沿って両端と真ん中の３箇所に設けられている。袖壁３２ａ間の２階の床部分にはバルコニー床３４が設けられている。勿論、２階部分に不図示の屋根３３を設けても良い。
【００３５】
図２（ｄ）において、図２（ａ）と同様に、ユニット建物１は建物ユニット２を上下左右に組み合わされた２階建てのユニット建物１である。袖壁３２ｂは２階まで届く高い塀であり、ユニット建物１の長辺（桁）側に沿って両端に設けられている。袖壁３２ｂ間には１階部分と略同じ高さの正面壁３１ａが設けられている。
【００３６】
このように、ユニット建物１に２階の高さまでの塀（袖壁）３２が可能となされ、また塀３の上部に屋根３３、あるいはバルコニーの床３４を設けることが可能となされているので、ユニット建物１の機能が向上すると共に、美観にも優れている。
【実施例３】
【００３７】
図３（ａ）は一体的に連結された塀を有するユニット建物の斜視図、（ｂ）は図３（ａ）のＡ部を拡大して示す平面図、（ｃ）はＡ部を拡大して示す斜視図である。
この実施例は、前記実施例１，２が軸組みの場合の詳細説明である。
図３において、ユニット建物１と塀３の袖壁３２との接合部（Ａ部）を（ｂ）及び（ｃ）の図面で説明する。（ｂ）図に示すように、ユニット建物１のコーナー部分の柱５、ジョイントピース６，６及び梁７，７の外周は外壁８が貼り付けられている。ユニット建物１の外壁８の一辺側（図中下側）に直角に袖壁３２が立設され、その先端側の柱３２１にユニット建物１と接合する為の取り付け金具３２２が設けられている。この袖壁３２は両面に外壁面材３２３，３２３が貼付されており、先端部の一面側（図中左側）は取り付け作業用に一部外壁面材３２３が取り外されている。一方、（ｃ）図に示すように、ユニット建物１の柱５に対応する外壁８の一部に切り欠き８１が設けられている。柱５には袖壁３２の取り付け金具３２２と接合する取り付け受け金具５１が設けられている。袖壁３２の柱３２１の取付金具３２２に設けられたボルト孔３２４とユニット建物１の柱５の取り付け受け金具５１に設けられたボルト孔５２間を不図示のボルトにより固定する。その後袖壁３２の取り外されていた外壁面材３２３を貼付して塞ぐ。
【００３８】
このように、実施例３においては、ユニット建物１と袖壁３２側に予め取付金具３２２及び取付け受け金具５１が設けられているので、現地での接合が極めて容易であり、現場施工工数を削減することができる。また、ユニット建物１の外壁８と袖壁３２の外壁面材３２３とはデザイン、色調とを合わせることで一体感が増し、美麗である。勿論、袖壁３２の両面の外壁面材３２３の両面共同一デザイン、色調でもよく、異なっていても良い。
【００３９】
次に、このユニット建物１の施工方法について説明する。
図４（ａ）は、工場で建物ユニットや塀部材が製造される斜視図、（ｂ）はこれらの部材が組み合わされて完成した塀付ユニット建物の斜視図である。
図４（ａ）に示すように、工場で建物ユニット２，２や塀３の各部材である、正面壁３１、袖壁３２、あるいは図示しない、屋根（庇）３３、バルコニー床３４等が製造され、施工現場に輸送される。
施工現場には、図４（ｂ）に示すように、予め塀部分まで一体になされた基礎４が設けられており、この基礎４の上に建物ユニット２が左右上下に組み合わされてユニット建物１が形成され、併せて塀部材である袖壁３２、正面壁３１が同一基礎４上に立設され、建物ユニット２と袖壁３２とが接合され、袖壁３２と正面壁３１とが接合されて、一体的に連結された塀を有するユニット建物１が完成する。
【００４０】
このように、建物ユニット２と同様に塀部材である正面壁３１や袖壁３２、屋根（庇）３３、バルコニー床３４等を製造し易い工場で製造し、これらを施工現場に運搬し、施工現場で、建物ユニット２及び袖壁３２、正面壁３１を据え付け、連結するだけで一体的に連結された塀を有するユニット建物を設けることができ、現場施工工数が少なく施工し易い。また、塀３とユニット建物１の基礎４は一体であるので塀３の強度が向上し、風等に対して強い塀となる。
また、袖壁３２や正面壁には、建物本体１の外壁に合った化粧が施されているので、建物全体が調和のある外観を呈して極めて美麗である。
【００４１】
別の施工方法として、予め工場で建物ユニット２と塀３とが組み立てられており、施工現場では基礎４上に据付けるだけでよく、一体的に連結された塀を有するユニット建物１の施工方法について説明する。
図５（ａ）は、工場で一体的に連結された塀を有する建物ユニットや塀部材が製造される斜視図、（ｂ）はこれらの部材が組み合わされて完成した一体的に連結された塀を有するユニット建物の斜視図である。
図５（ａ）に示すように、工場で建物ユニット２と袖壁３２とが予め組み立てられた塀付建物ユニット２ａ，２ｂ及び建物ユニット２や、正面壁３１，３１等の部材が製造され、施工現場に輸送される。
施工現場には、図５（ｂ）に示すように、予め塀部分まで一体になされた基礎４が設けられており、この基礎４の上に建物ユニット２及び袖壁３２付建物ユニット２ａ，２ｂが左右上下に組み合わされてユニット建物１ａが形成され、袖壁３２と正面壁３１とが接合されて、一体的に連結された塀を有するユニット建物１ａが完成する。
【００４２】
このように、建物ユニット２や袖壁付建物ユニット２ａ，２ｂと同様に塀部材である正面壁３１を製造し易い工場で製造し、これらを施工現場に運搬し、施工現場で、建物ユニット２及びや袖壁付建物ユニット２ａ，２ｂ、正面壁３１を据え付け、連結するだけで一体的に連結された塀を有するユニット建物１ａを設けることができ、現場施工工数が少なく施工し易い。また、塀３とユニット建物１ａの基礎４は一体であるので塀３の強度が向上し、風等に対して強い塀となる。
また、袖壁３２や正面壁には、ユニット建物本体１ａの外壁に合った化粧が施されているので、建物全体が調和のある外観を呈して極めて美麗である。
【実施例４】
【００４３】
この実施例はユニット建物が壁式の場合の施工方法についての説明である。
図６（ａ）は、工場で壁式の建物ユニットや塀部材が製造される斜視図、（ｂ）はこれらの部材が組み合わされて完成した塀付ユニット建物の斜視図、（ｃ）は図６（ｂ）のＢ部を拡大して示す斜視図である。
図６（ａ）に示すように、工場で壁式建物ユニット２ｃ，２ｃや塀３ｃの各部材である、正面壁パネル３１Ｃ、袖壁パネル３２Ｃ、あるいは図示しない、屋根（庇）３３ｃ、バルコニー床３４ｃ等が製造され、施工現場に輸送される。尚、壁式建物ユニット２ｃは床パネル２１ｃの互いにコの字状をなす３つの周縁部のそれぞれに壁パネル２２ａ，２２ｂ，２２ｃを立設して構成されたものである。壁パネル２２ａ〜２２ｃは、壁枠組み２５の両面に壁面材２６を取付けて構成される。床パネル２１ｃと壁パネル２２ａ〜２２ｃとは、釘、ボルト等にて接合される。
【００４４】
施工現場には、図６（ｂ）に示すように、予め塀部分まで一体になされた基礎４が設けられており、この基礎４の上に壁式建物ユニット２ｃが左右上下に組み合わされてユニット建物１ｃが形成され、併せて塀部材である袖壁３２ｃ、正面壁３１ｃが同一基礎４上に立設され、建物ユニット２ｃと袖壁３２ｃとが接合され、袖壁３２ｃと正面壁３１ｃとが接合されて、一体的に連結された塀を有するユニット建物１ｃが完成する。
【００４５】
図６（ｃ）は、壁式建物ユニット２ｃと袖壁パネル３２ｃとの接合構造を示しており、施工現場にて、壁式建物ユニット２ｃの耐力壁である壁パネル２２ａ（２２ｂ）の壁枠組み２５の上端部と袖壁パネル３２ｃの壁枠組み２５の上端部との間を接合プレート９を
架け渡し、釘９１で固定する。更に接合プレート９の両側で干渉しない位置にかすがい状の接合部材５２を配設する。
【００４６】
このように、壁式建物ユニット２ｃと同様に塀部材である正面壁３１ｃや袖壁３２ｃ、不図示の屋根（庇）３３ｃ、バルコニー床３４ｃ等を製造し易い工場で製造し、これらを施工現場に運搬し、施工現場で、建物ユニット２ｃ及び袖壁３２ｃ、正面壁３１ｃを据え付け、接合プレート９や接合部材５２により、固定することにより塀３ｃの強度が向上し、一体的に連結された塀３ｃを有する壁式ユニット建物１ｃを設けることができる。また、現場施工工数が少なく施工し易い。さらに、塀３ｃとユニット建物１ｃの基礎４は一体であるので塀３ｃの強度が更に向上し、風等に対して強い塀となる。
また、袖壁３２ｃや正面壁３１ｃには、建物本体１ｃの外壁に合った化粧が施されているので、建物全体が調和のある外観を呈して極めて美麗である。
【００４７】
以上、本発明の実施の形態を図面に基づいて説明したが、本発明は、この実施の形態に限られるものではなく、本発明の要旨を変更しない範囲の設計変更があっても本発明に含まれる。例えば、上記施工方法においては、建物ユニット２と袖壁３２が予め工場で組み立てられる例を示したが、建物ユニット２と袖壁３２と正面壁３１の３部材が予め工場で組み立てられて、施工現場では据付けるだけで塀付ユニット建物１が出来上がるようになされていてもよい。この場合には現場施工工数は極めて少なくて済み、より施工しやすい。
【図面の簡単な説明】
【００４８】
【図１】本発明の一実施例を示すもので、（ａ）は、一体的に連結された塀を有するユニット建物の斜視図、（ｂ）は（ａ）の平面を示す模式図である。本発明の一実施例を示すもので、建物の斜視図である。
【図２】（ａ）は２階部分まで袖壁（塀）を有するユニット建物の斜視図、（ｂ）は２階部分まで袖壁の上部に屋根（庇）を有するユニット建物の斜視図、（ｃ）は２階部分まで袖壁を有し、２階の床レベルにバルコニー床を有するユニット建物の斜視図、（ｄ）２階部分まで袖壁を有し、その正面に正面壁（塀）を有するユニット建物の斜視図である。
【図３】（ａ）は一体的に連結された塀を有するユニット建物の斜視図、（ｂ）は（ａ）のＡ部を拡大して示す平面図、（ｃ）はＡ部を拡大して示す斜視図である。
【図４】（ａ）は、工場で建物ユニットや塀部材が製造される斜視図、（ｂ）はこれらの部材が組み合わされて完成した一体的に連結された塀を有するユニット建物の斜視図である。
【図５】（ａ）は、工場で塀付建物ユニットや塀部材が製造される斜視図、（ｂ）はこれらの部材が組み合わされて完成した一体的に連結された塀を有するユニット建物の斜視図である。
【図６】（ａ）は、工場で壁式の建物ユニットや塀部材が製造される斜視図、（ｂ）はこれらの部材が組み合わされて完成した塀付ユニット建物の斜視図、（ｃ）は（ｂ）のＢ部を拡大して示す斜視図である。
【符号の説明】
【００４９】
１，１ｃ                      ユニット建物
２，２ｃ                       建物ユニット
３，３ｃ                      塀
３１，３１ｃ                     正面壁
３２，３２ａ，３２ｂ、３２ｃ    袖壁
３２２                           取付金具
３３，３３ｃ                     屋根（庇）
３４，３４ｃ                     バルコニー床
４                               基礎
５                               柱
５１                             取付受け金具
５２                             接合部材
６                               ジョイントピース
７                               梁
８                               外壁
９                               接合プレート
【図１】
2005201011.tif 000003
【図２】
2005201011.tif 000004
【図３】
2005201011.tif 000005
【図４】
2005201011.tif 000006
【図５】
2005201011.tif 000007
【図６】
2005201011.tif 000008